(57)【要約】      （修正有）【課題】簡単で確実にサーフボード用フィンを固定できる固定用具を提供する。【解決手段】固定用具Ａは長方形の一対の対角部を大きなＲ形状とした係合金具で、雄ネジを有するネジピンＢを一体とし、中央に雌ネジを有した樹脂ナットＣから成る。フィンの後方端部にある取り付け用貫通孔の上部より固定用具のネジピンを挿入し、樹脂ナットをフィン下部側からネジピンに締め込む。フィンの前方端部に両方向に突出した脱落防止金具をサーフボード底面後方部に埋め込まれているフィンボックスの挿入凹部に挿入し、フィンボックス内部の係合部をスライドさせてフィンをサーフボードの前方側に移動させる。フィンをフィンボックス内部に押し込み、フィンに取り付けた固定金具を締め付けている樹脂ナットを緩め、ネジピンを回転させ、固定金具のＲ面をフィンボックス内部の係合壁に係合させ、樹脂ナットを締め付けフィンを固定する。【選択図】図１
2012126372.tif 000002
【特許請求の範囲】
【請求項１】
サーフボード底面に埋め込まれたフィンボックスに取り付けるフィンを固定する用具であって、前記フィンボックスは長手方向に延びる溝部分とこの溝部両壁にそれぞれ長手方向中間に延びるように形成された係合凹部とが十文字の断面を有し、前記フィンは上端部の一側に設けられた長さ方向の両側面に突出する係合ピン及び上端部の反対方向に設けられた上下方向の貫通孔を有した形成であって、前記固定用具は一端部に係合部を有し、この係合部中央に垂直に伸びるネジピンを有しまた、固定用のナットを備え、前記フィンの前記貫通孔に前記固定用具の前記係合部を上側に位置するようにして挿入し、この貫通孔から下側に突出した前記ネジピンにナットを締め付け、前記フィンと前記固定用具の長手方向が平行になる姿勢で仮止めをし、前記フィンの前記係合ピン側を前記フィンボックスの前記挿入凹部に挿入して係合凹部に同通し、この係合凹部に沿ってスライドさせ、前記固定用具のナットを緩め、前記係合金具を回転させ、前記フィンボックスの係合部壁に係合させ前記ナットを締め付け、前記フィンと前記フィンボックス固定するために形成されているサーフボード用フィンの固定用具。
【請求項２】
前記固定用具の係合部は直方体の一対の対角に大きなＲ形状を付けた形状で、前記フィンボックス内部の形状部内壁に回転させて、この面を当接することにより固定する機構を有する。
【発明の詳細な説明】
【技術分野】
【０００１】この発明はサーフボード用の脱着式のフィンを簡単に固定する為の固定用具の形状に関する。
【背景技術】
【０００２】サーフボードの底面の後端部にはサーフボードの操作性を変化させる為のフィンが固定されている。このフィンの位置を変える事により、サーフボードの回転性や天候に合わせた操作性を調整するため、簡単に調整できることが望ましい。【０００３】サーフボード用フィンは（図３）に示す形状Ｈの取り付け代の一端部に形状Ｆの取り付け用貫通孔を有し、対する端部に形状Ｇの当面に張り出した脱落防止ピンを有する。（図２）に示す形状Ｅのサーフボードには前記サーフボード用フィンを取り付けるための（図６）に示す形状Ｄのフィンボックスが埋め込まれている。
前記フィンボックスの中央には前記サーフボード用フィンを挿入するための（図７）に示す形状Ｊの係合凹部を有する。前記フィンボックス内部は（図８）で指示する断面ア−ア詳細の形状Ｋの溝と形状Ｍの係合部から成っている。
従来、前記サーフボード用フィンを固定するには前記フィンボックスの中央にある前記係合凹部に中央に雌ネジを有する（図２４）に示す形状Ｑを挿入し（図２５）のように挿入し、これを前記フィンボックス内の係合部に留め、前記サーフボード用フィンの（図３）に示す形状Ｇの脱落防止ピン側から前記フィンボックスの係合部内をスライドさせ（図２７）に示す形状Ｈを前記フィンボックスの溝部に（図２８）のように嵌め込む。（図２８）に示す形状Ｒのネジピンを前記サーフボード用フィンの取り付け用貫通孔に通し前記フィンボックス内に留めた前記特殊ナットの中央ネジ部にねじ込む。この状態では（図３０）で指示する断面エ−エの（図３１）の詳細図のように形状Ｑが示す特殊ナットが、形状Ｒの示すネジピンの通る形状Ｆの貫通孔の真下に来ない。サーフボードを傾けるなどをして（図３２）に示す前記フィンボックス内の前記特殊ナット形状Ｑを形状Ｒの示すネジピンを通す形状Ｆの貫通孔の真下に来るように調整しなければならないため、前記特殊ナットの位置を固定することが困難である。
【発明の概要】
【発明が解決しようとする課題】
【０００４】従来の前記フィンの固定方法は前記フィンボック内部に挿入した前記固定用具の特殊ナットの位置を合わせるのが難しいため、簡単で確実にサーフボード用フィンを固定できる固定用具を提供することを課題とする。
【課題を解決するための手段】
【０００５】サーフボード用フィンの固定用具をサーフボード用フィンに取り付けた状態でフィンボックスに挿入し、固定する機構を手段とする。【０００６】第一の発明として固定用具（図１）に示す形状Ａは長方形の一対の対角部を大きな弧とした係合金具で（図１）に示す形状Ｂの雄ネジを有するネジピンを一体として（図１）に示す形状Ｃの中央に雌ネジを有する樹脂ナットから成る。【０００７】第二の発明として固定用具（図１）に示す形状Ａは挿入すべく（図６）に示す形状Ｄのフィンボックス内部の（図９）に示す形状Ｍの係合部に滑らかに回転し、当接するために（図２３）に示す形状Ｑのように周縁にはＲが設けられている。
【発明の効果】
【０００８】本発明によれば本サーフボード用フィン固定用具はサーフボードへのフィンの装着前にフィンに固定用具を取り付けることができ、従来の取り付け方のようにフィンボックス内部に挿入した特殊ナットの位置を探す必要性がない。
また、フィンのフィンボックスへの取り付け方法は従来の固定用具とほぼ同じであるため、従来品を使い慣れた使用者でも使い易いものとなっている。
【図面の簡単な説明】
【図１】サーフボード用フィン固定用具
【図２】サーフボード詳細図
【図３】フィン詳細図
【図４】フィン詳細図後方部拡大
【図５】フィン詳細図前方部拡大
【図６】フィンボックス図
【図７】フィンボックス図
【図８】断面ア−ア指示図
【図９】断面ア−ア図
【図１０】固定用具取り付け図
【図１１】固定用具取り付け図
【図１２】固定用具取り付け図
【図１３】フィン挿入図
【図１４】フィン挿入図
【図１５】フィン挿入図
【図１６】断面イ−イ指示図
【図１７】断面イ−イ詳細図
【図１８】断面イ−イ詳細図
【図１９】断面ウ−ウ指示図
【図２０】断面ウ−ウ詳細図
【図２１】サーフボード用フィン固定金具形状図
【図２２】サーフボード用フィン固定金具形状図
【図２３】サーフボード用フィン固定金具形状図
【図２４】従来品固定用具
【図２５】特殊ナット挿入図
【図２６】従来品フィン挿入図
【図２７】従来品フィン挿入図
【図２８】従来品フィン挿入図
【図２９】従来品フィン挿入図
【図３０】断面エ−エ指示図
【図３１】断面エ−エ詳細図
【図３２】断面エ−エ詳細図
【符号の説明】Ａ：係合金具
Ｂ：ネジピン
Ｃ：樹脂ナット
Ｄ：フィンボックス
Ｅ：サーフボード
Ｆ：取り付け用貫通孔
Ｇ：脱落防止ピン
Ｈ：取り付け代
Ｊ：係合凹部
Ｋ：溝
Ｍ：係合部
Ｎ：係合金具Ｒ形状
Ｐ：角Ｒ面取り形状
Ｑ：特集ナット
Ｒ：ネジピン
１：サーフボード用フィン固定用具
２：サーフボード・フィン取り付け状態図
３：フィン
【図１】
2012126372.tif 000003
【図２】
2012126372.tif 000004
【図３】
2012126372.tif 000005
【図４】
2012126372.tif 000006
【図５】
2012126372.tif 000007
【図６】
2012126372.tif 000008
【図７】
2012126372.tif 000009
【図８】
2012126372.tif 000010
【図９】
2012126372.tif 000011
【図１０】
2012126372.tif 000012
【図１１】
2012126372.tif 000013
【図１２】
2012126372.tif 000014
【図１３】
2012126372.tif 000015
【図１４】
2012126372.tif 000016
【図１５】
2012126372.tif 000017
【図１６】
2012126372.tif 000018
【図１７】
2012126372.tif 000019
【図１８】
2012126372.tif 000020
【図１９】
2012126372.tif 000021
【図２０】
2012126372.tif 000022
【図２１】
2012126372.tif 000023
【図２２】
2012126372.tif 000024
【図２３】
2012126372.tif 000025
【図２４】
2012126372.tif 000026
【図２５】
2012126372.tif 000027
【図２６】
2012126372.tif 000028
【図２７】
2012126372.tif 000029
【図２８】
2012126372.tif 000030
【図２９】
2012126372.tif 000031
【図３０】
2012126372.tif 000032
【図３１】
2012126372.tif 000033
【図３２】
2012126372.tif 000034